(57)【要約】【課題】  機器構成や個人習熟度に適した動画を自動的に編集して再生することができる技術を提供する。【解決手段】    マイクと無線機の間に設けられるデータ端末装置であって、少なくとも２つのデータ同期信号が付加されたデータ信号を生成する生成手段と、切替制御に従って、前記マイクから入力される音声信号、または、前記生成手段により生成されるデータ信号のいずれかを前記無線機に出力する切替手段と、前記切替手段に対して切替制御を行う制御手段と、を備える。前記データ同期信号間には無変調部分が挿入されてもよい。【選択図】図１
2006041629.tif 000002
【特許請求の範囲】
【請求項１】
マイクと無線機の間に設けられるデータ端末装置であって、
少なくとも２つのデータ同期信号が付加されたデータ信号を生成する生成手段と、
切替制御に従って、前記マイクから入力される音声信号、または、前記生成手段により生成されるデータ信号のいずれかを前記無線機に出力する切替手段と、
前記切替手段に対して切替制御を行う制御手段と、
を備えるデータ端末装置。
【請求項２】
無線機とスピーカの間に設けられるデータ端末装置であって、
前記無線機から入力される、少なくとも２つのデータ同期信号が付加されたデータ信号から最初のデータ同期信号を検出する同期信号検出手段と、
オフ制御に従って、前記無線機からスピーカへ供給される受信信号の経路を遮断するゲート手段と、
前記同期信号検出手段が最初のデータ同期信号を検出した場合、前記ゲート手段に対してオフ制御を行う制御手段と、
を備えるデータ端末装置。
【請求項３】
前記データ同期信号間には無変調部分が挿入されている請求項１又は２に記載のデータ端末装置。
【請求項４】
音声信号とデータ信号を経時的に切り替えながら単一の通信回線を介して２点間で無線通信する方法であって、
受信信号をスピーカへ供給するステップと、
前記データ信号として少なくとも２つのデータ同期信号が付加されたデータ信号を、前記単一の通信回線へ送り出すステップと、
前記データ信号から最初のデータ同期信号を検出するステップと、
前記最初のデータ同期信号を検出した場合、前記受信信号のスピーカへの供給経路を遮断するステップと、
を備える無線通信方法。
【請求項５】
前記データ同期信号間には無変調信号が挿入されている請求項４に記載の無線通信方法。
【発明の詳細な説明】
【技術分野】
【０００１】
本発明は、音声信号とデータ信号を経時的に切り替えながら単一の通信回線を介して２点間で無線通信する技術に関する。
【背景技術】
【０００２】
近年の無線通信回線にて車両動態や位置データ等を音声報告によらずに、無線データ伝送にて送達し、伝送相手側や受信した無線局のコンピュータ等に自動的にデータを登録し各種処理を行うシステムを導入する事が多くなっている。このようなシステムとしては、例えば、タクシー無線による車両位置自動表示システム(AVM：Auto Vehicle Monitorinig
system)が知られている。
【０００３】
しかしながら、音声信号とデータ信号を経時的に切り替えながら単一の通信回線を介して２点間で無線通信するシステムにおいては、音声通信用の受信側の音声モニター用のスピーカ回路にデータ伝送信号音が漏れ、操作者に対し聴感上の不快間を与えるという問題がある。このため、この音声モニター回路にデータ音が漏洩しないようにする手段が求められている。
【０００４】
また、無線装置の納入メーカと並びに時期が、データ伝送の導入時期が異なる事が多々あることから、無線装置を改造する事なく、外部のデータ伝送付加装置のみでデータ信号が音声回路に漏洩する事を低減又は消去する事が求められている。
【０００５】
音声モニター回路にデータ音が漏洩しないようにする観点からは、次の技術が知られている。
（帯域外トーンスケル方式）
この方式は、図３に示す無線伝送路において、音声通信とデータ伝送を時間的に直列処理にて伝送する場合、無線装置に帯域外トーンスケルチを使用する方式である。この方式では、無線装置の内部に本機能を有している必要がある。また、無線機を改造する必要もある。
【０００６】
このため、データ伝送付加装置のみで処理する事が出来ないという問題がある。すなわち、無線機の内部に回路や機能を有している必要があるため、無線機そのものに機能がない場合や、無線機の納入メーカとデータ端末の稼働開始時期や納入メーカが異なる場合は採用出来ないという欠点があり、データ端末装置等の外部付加装置のみの機能では実現する事が困難となっている。
（同期信号検出方式）
この方式は、図４に示す無線伝送路において、データ信号の先頭部分に位置する同期信号を受信側のＣＰＵにて検出し、その検出信号により音声モニター回路を閉塞処理する方式である。
【０００７】
この方式では、同期信号の検出制御に要する時間の間にデータ信号音の一部がスピーカから出力されるという問題を有している。すなわち、同期検出と同期処理に要する時間の間は、同期信号の他にデータ信号の先頭部分の一部がスピーカより信号が出力されるので、データ信号の消去機能としては十分とは言えないため、出来る限りデータ信号音をミュートする事が求められている。図５は、図４に示した処理のタイムチャートであり、データ信号の先頭部分がスピーカから出力されることを表している。
（音声遅延回路方式）
この方式は、図６に示すように、受信側にデータ信号の同期信号の検出回路と、音声遅
延回路を設け、遅延回路を通した音声信号を同期検出信号によりミュート処理する方式である。これは、図４の問題を解決する方式である。本方式は、図４に示したデータ信号音が音声モニター回路に多少漏れる事を防ぐ方式として、音声信号を遅延させる。この遅延は、図６中の音声遅延回路５４が担当する。図７は、図６に示した処理のタイムチャートであり、同期信号＋データ信号が遅延させられること、及び同期信号＋データ信号のいずれもスピーカから出力されないことを表している。
【０００８】
このため、複信通話の相手側よりのリターン信号や、単信通話において、自局の送話信号音をモニターした時に、送話者が話す時に自己の送話信号を１００ｍ秒以上遅延したモニター音を聞いた場合は、人間聴感上の特性により通常の話す速度での送話が困難な状態となる等の問題を有している。
【０００９】
すなわち、データ信号音を完全に消す事が出来る反面、同期検出〜スピーカー制御に要する時間分を音声遅延させる必要があり、自己の送話音に対し送話モニターと音が１００ｍＳ以上遅延して聞こえるため、送話が著しく困難となる欠点を有するため遅延回路を使用しないでデータ信号音を軽減する事が求められている。図８は、この音声遅延障害を説明するための図である。
【００１０】
なお、その他、本発明に関連すると考えられるものとして、次のものがある（特許文献１及び２参照）。
【特許文献１】特開平６−１２０８８７号公報
【特許文献２】特開平７−１６２３７４号公報
【発明の開示】
【発明が解決しようとする課題】
【００１１】
本発明の課題は、音声信号とデータ信号を経時的に切り替えながら単一の通信回線を介して２点間で無線通信するシステムにおいて、データ伝送音（データ信号の先頭部分）がモニタースピーカから出力されるのを、最小限にすることにある。
【課題を解決するための手段】
【００１２】
本発明は、上記課題を解決するためになされたものであり、次の構成とした。
マイクと無線機の間に設けられるデータ端末装置であって、少なくとも２つのデータ同期信号が付加されたデータ信号を生成する生成手段と、切替制御に従って、前記マイクから入力される音声信号、または、前記生成手段により生成されるデータ信号のいずれかを前記無線機に出力する切替手段と、前記切替手段に対して切替制御を行う制御手段と、を備えるデータ端末装置。
【００１３】
また、本発明は、次のように特定することもできる。
無線機とスピーカの間に設けられるデータ端末装置であって、前記無線機から入力される、少なくとも２つのデータ同期信号が付加されたデータ信号から最初のデータ同期信号を検出する同期信号検出手段と、オフ制御に従って、前記無線機からスピーカへ供給される受信信号の経路を遮断するゲート手段と、前記同期信号検出手段が最初のデータ同期信号を検出した場合、前記ゲート手段に対してオフ制御を行う制御手段と、を備えるデータ端末装置。
【００１４】
上記データ端末装置においては、例えば、前記データ同期信号間には無変調信号が挿入されている。
また、本発明は、方法の発明として次のように特定することができる。
【００１５】
音声信号とデータ信号を経時的に切り替えながら単一の通信回線を介して２点間で無線
通信する方法であって、受信信号をスピーカへ供給するステップと、前記データ信号として少なくとも２つのデータ同期信号が付加されたデータ信号を、前記単一の通信回線へ送り出すステップと、前記データ信号から最初のデータ同期信号を検出するステップと、前記最初のデータ同期信号を検出した場合、前記受信信号のスピーカへの供給経路を遮断するステップと、を備える無線通信方法。
【００１６】
上記データ通信方法においては、例えば、前記データ同期信号間には無変調信号が挿入されている。
（作用）
従来、データ信号の構成を同期信号＋データ信号とした場合、同期信号とデータ信号の先頭部分がスピーカから出力された。これに対して、本発明では、データ信号の構成を同期信号＋無変調＋同期信号＋データ信号としたので、スピーカ信号は同期信号のみがスピーカから出力されることとなる。データ信号の先頭部分は出力されない。
【００１７】
すなわち、音声信号とデータ信号を経時的に切り替えながら単一の通信回線を介して２点間で無線通信するシステムにおいて、データ伝送音（データ信号の先頭部分）がモニタースピーカから出力されるのを、最小限にすることが可能となる。また、音声遅延機能を使用しないので、送話モニターを行っても送話モニター時の遅延モニターによる送話弊害が改善される。
【発明の効果】
【００１８】
本発明によれば、音声信号とデータ信号を経時的に切り替えながら単一の通信回線を介して２点間で無線通信するシステムにおいて、データ伝送音（データ信号の先頭部分）がモニタースピーカから出力されるのを、最小限にすることが可能となる。
【発明を実施するための最良の形態】
【００１９】
以下、本発明の一実施形態であるデータ端末装置を包含する無線通信システムについて説明する。
図１は、本発明の一実施形態であるデータ端末装置を包含する無線通信システムの概略構成図である。図２は、本発明の一実施形態であるデータ端末装置を包含する無線通信システムにおける処理のタイムチャートである。
【００２０】
ここでは、無線通信システムが、タクシー無線による車両位置自動表示システム(AVM：Auto Vehicle Monitorinig system)である場合について説明する。
図１に示すように、送信側装置は、音声送話を行うためのマイク（マイク回路）１０、データ端末装置２０、音声通信・データ通信を行うための送信装置（図１中無線機を例示）３０などを備えている。この送信側装置は、タクシー車両に搭載されている。なお、図示は略すが、タクシー車両には自己位置を検出するためのＧＰＳ装置なども搭載されているものとする。
【００２１】
データ端末装置２０は、音声とデータ伝送切替回路２１、データ伝送信号の変調回路２２、及び各種制御用のＣＰＵ２３などにより構成される。
音声とデータ伝送切替回路２１は、ＣＰＵ２３からの切替制御に従って、マイク１０から入力される音声信号、または、後述のようにＣＰＵ２３により生成されるデータ信号のいずれかを無線機３０に出力するための回路である。
【００２２】
データ伝送信号の変調回路２２は、後述のようにＣＰＵ２３により生成されるデータ信号をアナログ信号に変換するための回路である。
制御部ＣＰＵ２３は、所定プログラムを実行することで、データ信号の生成の際に、図２(4)に示すデータ信号に前置して同期信号１＋無変調部＋同期信号２を付加する。また
、制御部ＣＰＵ２３は、マイク１０からのプレス信号（例えばマイク１０に設けられた通話ボタンの押圧により発せられる）を受けると、切替回路２１に対して、切替制御を行う。この制御部ＣＰＵ２３が本発明の生成手段、及び制御手段に相当する。
【００２３】
無線機３０は、高周波数増幅部３１、変調回路３２、及びアンテナなどを備えている。無線機３０は、データ端末装置２０から入力される音声信号又はデータ信号を、変調回路３２、高周波素増幅部３１、変調回路３２を介してアンテナから空中へ送信する。
【００２４】
無線機３０は、切替回路２１が切り替え制御されることで、音声信号とデータ信号を経時的に切り替えながら単一の通信回線を介して後述の無線機４０との間で無線通信する。
図１に示すように、受信側装置は、無線受信機４０、無線機４０の外部付加装置としてのデータ端末装置５０などを備えている。この受信側装置は、センターなどの固定局に設けられている。
【００２５】
無線受信装置４０は、アンテナ、高周波数増幅部４１、検波回路４０、及び低周波数増幅部４６などを備えている。無線受信装置４０は、無線機３０からの電波をアンテナ、高周波数増幅部４１、検波回路４０、及び低周波数増幅部４６を介して受信し、その検波出力信号をデータ端末装置５０に対し出力する。
【００２６】
データ端末装置５０は、データ信号を復調する復調回路５１、データの内容を解析するデータ制御部５２、同期信号のみ検出し高速にスピーカＯＦＦ制御信号を発する同期信号検出回路５３、音声信号をスピーカＯＦＦ制御信号により音声出力をＯＦＦ制御するゲート回路５５、音声信号をスピーカを鳴動させるに必要な電力に増幅する低周波増幅回路５６等の回路ユニットより構成される。また、データ端末装置５０には、音声通信をモニターするスピーカ４７が接続されている。
【００２７】
次に、上記構成の無線通信システムの動作について説明する。
タクシー車両においてセンターに送信すべきデータが発生したとする。例えば、ＧＰＳ装置から自己位置などのデータが得られたとする。制御部ＣＰＵ２３は、そのデータに対して、データ同期信号間に無変調部分が挿入されているデータ信号（本発明の少なくとも２つのデータ同期信号が付加されたデータ信号に相当）を生成する。図２では、このデータ信号を、同期信号１、無変調、同期信号２、データ信号として表している。
【００２８】
データ信号変調回路２２は、その生成されたデータ信号をアナログ信号に変換し、切替回路２１（マイク１０の通話ボタンが押圧されない限り、切り替え回路２１は、データ信号変調回路２２からのデータ信号を無線機３０に出力するように切り替えられている）を介して無線機３０へ出力する。
【００２９】
無線機３０は、データ端末装置２０からのデータ信号を、変調回路３２、高周波数増幅部３１を介してアンテナから空中へ送り出す。すなわち、無線機３０は、データ端末装置２０からのデータ信号を、無線機４０に向けて無線送信する。
【００３０】
無線機４０は、無線機３０からのデータ信号を、アンテナ、高周波数増幅部４１、検波回路４０、及び低周波数増幅部４６を介して受信し、その検波出力信号をデータ端末装置５０に対して出力する。
【００３１】
データ端末装置５０は、無線機４０からの受信信号をデータ復調回路５２にて復調し、データ制御部ＣＰＵ５２と同期信号検出機能５３に渡す。
同期検出機能（同期検出回路）５３は、無線機４０からの受信信号から、最初のデータ同期信号を検出する。ここでは、無線機４０からの受信信号は図２最上段に示すデータ信
号（同期信号１、無変調、同期信号２、データ信号）であるから、同期信号検出回路５３は、同期信号１を検出する。
【００３２】
同期検出機能５３は、最初のデータ同期信号（同期信号１）を検出した場合、ゲート回路５５に対してオフ制御を行う。すなわち、同期検出機能５３は、ゲート回路５５に対し、スピーカＯＦＦ制御信号を渡す。
【００３３】
ゲート回路５５は、同期信号検出機能５３からのオフ制御（スピーカＯＦＦ制御信号）に従って、スピーカ４７へ供給される無線機４０からの受信信号の経路を遮断する（例えば予め設定された時間３秒遮断する）。このように、同期信号１に基づいて、ゲート回路５５がオフ制御され、スピーカ４７へ供給される無線機４０からの受信信号の経路が遮断される。そして、同期信号１に引き続いて無線機４０から入力されるのは無変調部分であり、従来のようにデータ信号ではない。従って、仮に、同期信号１に基づくゲート回路５５のオフ制御に多少の時間を要したとしても、その無変調部分があるので、従来のようにデータ信号がスピーカ４７から出力されることはない。
【００３４】
以上の処理をタイムチャートで表したのが図２である。
図２(1)は、受信機４０からの受信信号（データ信号）を示している。
同期検出回路５３は、受信機４０からの受信信号から同期信号（図２に示す同期信号１の部分。本発明の最初のデータ同期信号に相当）を検出し、図２(2)に示すスピーカＯＦ
Ｆ信号としてゲート回路５５に出力する。ゲート回路５５は、スピーカＯＦＦ信号に従いＯＦＦ制御を行う。すなわち、無線機４０からスピーカ４７へ供給される受信信号の経路を遮断する。従って、受信機４０からの受信信号は、図２(5)のスピーカ出力信号として
スピーカ４７から出力されるが、データ信号部は出力されない。これは、同期信号１のあとに無変調部分が挿入されているからである。
【００３５】
以上説明したように、本実施形態の無線通信システムによれば、音声信号とデータ信号を経時的に切り替えながら単一の通信回線を介して２点間で無線通信するシステムにおいて、データ伝送音（データ信号の先頭部分）がスピーカ４７から出力されるのを、防止（最小限に）することが可能となる。
【００３６】
また、データ信号の一部が音声モニターに漏れる事を防止でき、同期信号が出力されるモニター音に改善できる。また、送話モニター障害の弊害がある音声遅延回路を使用する事なくデータ音の漏洩の低減を図る事が出来る。
【００３７】
なお、図２最上段に示すデータ信号（同期信号１、無変調、同期信号２、データ信号）のうち、同期信号２はデータ信号の先頭部分を識別するためのものである。データ制御部５２は、この同期信号２を検出すると、これに引き続くデータ信号を検出し所定処理を行う。
【００３８】
本発明は、その精神または主要な特徴から逸脱することなく、他の様々な形で実施することができる。このため、上記の実施形態はあらゆる点で単なる例示にすぎない。これらの記載によって本発明が限定的に解釈されるものではない。
【産業上の利用可能性】
【００３９】
本発明によれば、音声信号とデータ信号を経時的に切り替えながら単一の通信回線を介して２点間で無線通信するシステムにおいて、データ伝送音（データ信号の先頭部分）がモニタースピーカから出力されるのを、最小限にすることが可能となる。
【図面の簡単な説明】
【００４０】
【図１】本発明の一実施形態であるデータ端末装置を包含する無線通信システムの概略構成図である。
【図２】本発明の一実施形態であるデータ端末装置を包含する無線通信システムにおける処理のタイムチャートである。
【図３】従来技術を説明するための図である。
【図４】従来技術を説明するための図である。
【図５】図４に示した従来技術における処理のタイムチャートである。
【図６】従来技術を説明するための図である。
【図７】図６に示した従来技術における処理のタイムチャートである。
【図８】音声遅延障害を説明するための図である。
【符号の説明】
【００４１】
１０  マイク
２０  データ端末装置
３０  無線機
４０  無線機
５０  データ端末装置
【図１】
2006041629.tif 000003
【図２】
2006041629.tif 000004
【図３】
2006041629.tif 000005
【図４】
2006041629.tif 000006
【図５】
2006041629.tif 000007
【図６】
2006041629.tif 000008
【図７】
2006041629.tif 000009
【図８】
2006041629.tif 000010